(57)【要約】【課題】従来のローラチェーン端末ボルトは、取り付ける対象物に、貫通孔の開いていることが前提であつた。そのため、対象物に、ネジ穴（貫通していない）しか、開けられない場合は、組み上げてから、ローラチェーンのたるみをとる手段が見つからず、困惑していた。【解決手段】▲１▼ローラチェーンとの接続手段を有する頭部３２、及び左ねじからなるねじ部３４を有する第１ボルト３０と、▲２▼前記ねじ部３４とはまり合う雌ねじ４２０の切られている頭部４２、及び右ねじからなるねじ部４４を有する第２ボルト４０、の、２本のボルトの組合せにより、端末ボルトを構成する。これにより、上記課題は解決される。【選択図】        図１
2004360886.tif 000002
【特許請求の範囲】
【請求項１】
後記第１ボルト３０と後記第２ボルト４０とによつて構成されるものであって、
前記第１ボルト３０は、ローラチェーンとの接続手段を有する頭部３２と、左ねじからなるねじ部３４を有するものであり、
また、前記第２ボルト４０は、前記ねじ部３４とはまり合う雌ねじ４２０が切られている頭部４２と、右ねじからなるねじ部４４を有するものである、
ことを特徴とする、ローラチェーン端末ボルト。
【発明の詳細な説明】
【０００１】
【発明の属する技術分野】
この発明は、ローラチェーン端末を、対象物に固定するときに用いるボルトに関するものである。
【０００２】
【従来の技術】
従来のローラチェーン端末ボルトとしては、例えば、図３（ａ）（ｂ）に、符号１０で示すものが知られている（非特許文献１参照）。
なお、１２は、端末ボルト１０の頭部で、孔１２０を有し、１４はねじ部である。
【０００３】
この端末ボルト１０は、次のように用いる。
図３（ｃ）のように、ローラチェーン１６の端末に、端末ボルト１０を、継手リンク１８により接続する。
なお、１８０はピン、１８２は継手プレート、１８４は割ピンである。
そして、端末ボルト１０のねじ部１４を、対象物２０の貫通孔２２に通し、ナット２４、２６を締めて固定し、そのあとでローラチェーン１６に張力をかける場合もあれば、取付時にナット２６の締め付けによって、ローラチェーン１６に張力をかけながら固定する場合もある。
【０００４】
【非特許文献１】
椿本チェーン（株）、１９９７・１９９８年版カタログ、ｐ．１０３
【０００５】
【発明が解決しようとする課題】
上記図３のように、対象物２０に貫通孔２２の開いている場合は、端末ボルト１０を用いるローラチェーン１６の取付は容易である。
しかし、対象物２０に、ネジ穴（貫通していない）しか、開けられない場合は、困惑する。
継手リンク１８を外して、端末ボルト１０を、ローラチェーン１６と非接続の状態にして、対象物２０にねじ込むことはできるが、組み上げてから、ローラチェーン１６のたるみをとる手段が見つからない。
【０００６】
【課題を解決するための手段】
図１の例図を参照して述べると、
この発明の端末ボルトは、
▲１▼第１ボルト３０と第２ボルト４０との、２本のボルトを用いて、上記課題の解決を図るものであって、
▲２▼その第１ボルト３０は、ローラチェーン１６との接続手段を有する頭部３２と、左ねじからなるねじ部３４を有するものであり、
▲３▼また第２ボルト４０は、前記ねじ部３４とはまり合う雌ねじ４２０が切られている頭部４２と、右ねじからなるねじ部４４を有するものである。
【０００７】
なお、上記▲２▼の記載の中の、頭部３２の「ローラチェーン１６との接続手段」というのは、例えば、上記図３（従来例）の頭部１２の孔１２０のように、継手リンク１８のピン１８０を差し込む孔１２０を有するということである。
しかし、このような孔１２０だけには限定されるものではなくて、従来公知の接続手段は、すべて含むものである。
【０００８】
【発明の実施の形態】
［物自体］
図１について説明する。なお、この図の、
（ａ）は第１ボルト３０を、
（ｂ）は（ａ）におけるＢ−Ｂ断面を、
（ｃ）は第２ボルト４０を、
（ｄ）は（ｃ）におけるＤ−Ｄ断面を、
それぞれ示している。
【０００９】
この発明の端末ボルトは、上記のように、第１ボルト３０と第２ボルト４０とからなる。
なお、「第１」「第２」には、特別な意味はない。説明しやすいように、名付けただけである。
第１ボルト３０の頭部３２は、上段平行部３２０に、継手リンク１８のピン１８０（図３参照）の入る孔３２４を有する。また、スパナをかけるための下段平行部３２２も有する（図１（ｂ）参照）。
また、ねじ部３４は、左ねじとする。
【００１０】
第２ボルト４０の頭部４２は、六角筒状であり、その中央に、雌ねじ４２０を切り、ねじは左ねじとする（図１（ｄ）参照）。この雌ねじ４２０は上記第１ボルト３０のねじ部３４（左ねじ）と、はまり合うようになっている。
ねじ部４４は右ねじである。
【００１１】
［使用方法］
図２に、第１ボルト３０と第２ボルト４０を組合せ、かつローラチェーン１６と接続した状態を示す。
継手リンク１８のピン１８０を、第１ボルト３０の孔３２４に挿入して、ローラチェーン１６の端末に第１ボルト３０を接続する。
また、第１ボルト３０のねじ部３４を、第２ボルト４０の雌ねじ４２０に、はめ合わせる。
なお、予め、第１ボルト３０のねじ部３４に、ナット３６を、予め元までねじ込んでおき、また、第２ボルト４０のねじ部４４にも、ナット４６を予め元までねじ込んでおく。
【００１２】
それから、対象物２０のねじ穴２３に、第２ボルト４０のねじ部４４を挿入する。
そして、第１ボルト３０の下段平行部３２２に、スパナをかけて、ローラチェーン１６が回らないように押さえておきながら、第２ボルト４０の六角形の頭部４２にスパナをかけて、右回転させる。
すると、左ねじの第１ボルト３０のねじ部３４が第２ボルト４０の雌ねじ４２０にねじ込まれてゆくとともに、第２ボルト４０のねじ部４４が対象物２０にねじ込まれてゆく。
そして、ローラチェーン１６と対象物２０との間隔は、ねじ込まれた分だけ縮んでゆく。
【００１３】
ローラチェーン１６にたるみが無くなり  、所定の設定が完了したら、図２のように、ナット３６，４６を締め付けて、固定させる。
以上で、完了である。
【００１４】
［ローラチェーン１６の「たるみ」について］
ローラチェーン１６の端末部分を含むボルトを組み立てる前に、あらかじめ目測で、ローラチェーン１６の長さを決めて、第１、第２ボルト３０、４０のしめしろがローラチェーン１６のたるみを、とりきれるようにしておく必要がある。
しかし、もし、両ボルトのねじ部３４，４４が全部ねじ込まれても、ローラチェーン１６のたるみがとれないときは、ローラチェーン１６を詰めなければならない。
ねじ部３４，４４の長さは、少なくともローラチェーン１６のピッチ分としめこみ長さ以上、長くなければならない。
【００１５】
【発明の効果】
対象物２０に、ネジ穴（貫通していない）しか、開けられない場合であっても、ローラチェーン端末の固定が、ローラチェーン１６のたるみとりを含めて、問題なく行える。
【図面の簡単な説明】
【図１】本発明の一例の説明図で、
（ａ）は第１ボルト３０の外形図、
（ｂ）は（ａ）におけるＢ−Ｂ断面、
（ｃ）は第２ボルト４０の断面図（外形図）、
（ｄ）は（ｃ）におけるＤ−Ｄ断面、
を、それぞれ示す。
【図２】本発明の端末ボルトを組み立てた状態の一例を示す説明図で、
（ａ）は正面図、
（ｂ）は側面図、
を、それぞれ示す。
【図３】従来技術の説明図で、
（ａ）は端末ボルトの正面図、
（ｂ）は同じく平面図、
（ｃ）は使用状態、
を、それぞれ示す。
【符号の説明】
１０    端末ボルト
１２    頭部
１２０  孔
１４    ねじ部
１６    ローラチェーン
１８    継手リンク
１８０  ピン
１８２  継手プレート
１８４  割りピン
２０    対象物
２２    貫通孔
２３    ねじ穴
２４    ナット
２６    ナット
３０    第１ボルト
３２    頭部
３２０  上段平行部
３２２  下段平行部
３２４  孔
３４    ねじ部
３６    ナット
４０    第２ボルト
４２    頭部
４２０  雌ねじ
４４    ねじ部
４６    ナット
【図１】
2004360886.tif 000003
【図２】
2004360886.tif 000004
【図３】
2004360886.tif 000005